(57)【特許請求の範囲】
【請求項１】
外箱内に配置された水槽と、
前記水槽内に回転自在に配置された回転槽と、
前記回転槽に前記回転槽の内外を連通するように設けられた小孔と、
乾燥運転時に前記回転槽内に乾燥空気を供給する乾燥手段と、
湿度を検知する湿度検知手段と、
前記湿度検知手段からの検知結果に基づいて乾燥手段を駆動制御する制御部と、を備え、
前記湿度検知手段は、前記水槽内に配され、前記湿度検知手段を収納する収納室が設けられ、前記収納室において、前記水槽内方に向けて形成された開口部と、前記開口部を開閉する開閉扉とを有することを特徴とする洗濯乾燥機。
【請求項２】
前記湿度検知手段は、前記水槽内面の上部に配されたことを特徴とする請求項１記載の洗濯乾燥機。
【請求項３】
前記開閉扉が開放状態のときに、前記湿度検知手段が前記収納室の前記水槽内方への開口部よりも前記水槽内方に向けて突出させるようにしたことを特徴とする請求項１又は２に記載の洗濯乾燥機。
【請求項４】
前記湿度検知手段を前記水槽内方に向けて付勢する伸縮部材が設けられたことを特徴とする請求項３に記載の洗濯乾燥機。
【請求項５】
前記回転槽と前記収納室の前記水槽内方への開口部との間に前記回転槽から前記収納室の前記水槽内方への開口部を遮蔽する遮蔽部を設けたことを特徴とする請求項１から請求項４のいずれか１項に記載の洗濯乾燥機。
【請求項６】
外箱内に配置された水槽と、
前記水槽内に回転自在に配置された回転槽と、
前記回転槽に前記回転槽の内外を連通するように設けられた小孔と、
乾燥運転時に前記回転槽内に乾燥空気を供給する乾燥手段と、
湿度を検知する湿度検知手段と、
前記湿度検知手段からの検知結果に基づいて乾燥手段を駆動制御する制御部と、を備え、
前記湿度検知手段は、前記水槽内に配され、前記回転槽と前記湿度検知手段との間に前記回転槽から前記湿度検知手段を遮蔽する遮蔽部材と、前記回転槽と前記湿度検知手段との連通口を開閉する開閉扉とを有することを特徴とする洗濯乾燥機。
【請求項７】
前記制御部は、乾燥運転の終了を検知する設定湿度を変更可能としたことを特徴とする請求項１〜６のいずれかに記載の洗濯乾燥機。
【発明の詳細な説明】
【技術分野】
【０００１】
本発明は、洗濯物を収容する回転槽を備え、該回転槽内で洗濯物の洗濯及び乾燥が可能な洗濯乾燥機に関する。
【背景技術】
【０００２】
従来、水槽内に回転自在に配置された回転槽を備えた洗濯乾燥機に搭載される乾燥手段としては、送風機、加熱手段、除湿用熱交換器及び送風ダクトを備えたものが知られている。送風ダクトは、その一端と他端が水槽に接続されており、他端の開口が回転槽の開口部に臨むように形成される。送風ダクトには、送風機が介装されており、送風機の駆動に伴って送風ダクトの一端側から他端側に向けて空気が送られる。また、送風ダクトの送風機よりも下流側には加熱手段が、回転槽と水槽との間の空間下部には除湿用熱交換器が、それぞれ設置されている。
【０００３】
上記構成の洗濯乾燥機において、乾燥運転が実行されると、送風機が駆動し、乾燥空気が送風ダクトを通って加熱手段で加熱されて回転槽内に送り込まれる。これにより、加熱手段で加熱された乾燥空気は、回転槽内の洗濯物に接触して水分を蒸発させ、多湿の空気となって、回転槽内の小孔を通じて回転槽外に送り出される。
【０００４】
回転槽外に送り出された多湿の空気は、除湿用熱交換器で冷却され、水分が凝縮・除湿されて低湿の空気となる。低湿となった空気は、送風機によって再び加熱手段に送られて乾燥に供される。
【０００５】
上記洗濯乾燥機においては、加熱手段で加熱された空気の温度や除湿用熱交換器で除湿された空気の温度を測定し、その温度変化によって乾燥終了検知や乾燥仕上がり具合を検知する方法が知られている。また、除湿方式が水冷式であるときは、除湿に供された水の
温度を検知する温度センサを設け、その温度変化も終了検知に用いて、さらに正確な制御を行うようにしている。
【０００６】
しかしながら、上記構成においては、多数の温度センサが必要でコストが高くなり、温度センサの検知信号に基づいて乾燥手段の運転を制御するのが複雑化する。また、洗濯物の乾燥具合は、湿度との相関関係が強く、温度変化だけで洗濯物の乾燥具合を判断するとその精度に限界があった。
【０００７】
上記問題を解決するものとして、例えば、特許文献１及び２に示すように、乾燥運転の終了時期を判断するために湿度センサを用いる方法が知られている。
【特許文献１】特開２００２−３６０９７１号公報
【特許文献２】特開２００３−３２６０７７号公報
【発明の開示】
【発明が解決しようとする課題】
【０００８】
しかしながら、上記特許文献１，２に記載された洗濯乾燥機においては、湿度センサは空気を除湿した後の送風ダクトに設置されており、この部分での湿度変化は水槽内に比べて小さく、乾燥終了検知を行うには制御が困難であった。
【０００９】
そこで、本発明では、上記問題点に鑑み、洗濯物の乾燥具合を正確に検知することが可能な洗濯乾燥機を提供することを目的とするものである。
【課題を解決するための手段】
【００１０】
上記問題点を解決するために、本発明に係る洗濯乾燥機は、外箱内に配置された水槽と、前記水槽内に回転自在に配された回転槽と、前記回転槽に前記回転槽の内外を連通するように設けられた小孔と、乾燥運転時に前記回転槽内に乾燥空気を供給する乾燥手段と、湿度を検知する湿度検知手段と、前記湿度検知手段からの検知結果に基づいて乾燥手段を駆動制御する制御部と、を備え、前記湿度検知手段は、前記水槽内に配されたことを特徴とする。
【００１１】
上記構成においては、乾燥運転の進行に伴う湿度変化の大きい水槽内の空気の湿度を湿度検知手段によって直接検知するため、乾燥運転の進行具合をより高精度に検知することが可能となる。
【００１２】
また、湿度検知手段は、水槽の上部に配するのが好ましい。このようにすると、洗濯水に含まれる洗剤等の付着や湿度検知手段に洗濯水が付着したまま乾燥を実行することによる湿度検知精度の低下等が生じることを防ぐことができる。
【００１３】
また、本発明に係る洗濯乾燥機は、湿度検知手段を収納する収納室と、前記収納室において、前記水槽内方に向けて形成された開口部と、前記開口部を開閉する開閉扉と、を備えた構成とするのが好ましい。このようにすると、脱水運転等に伴って洗濯水が飛散しても、湿度検知手段に洗濯水が接触しないようにすることができる。
【００１４】
また、開閉扉が開放状態のときに、湿度検知手段を収納室の開口部よりも水槽内方に突出させるのが好ましい。このようにすると、湿度検知手段が水槽内の空気の流れに晒されるので、より正確な空気の湿度を検知することができる。
【００１５】
湿度検知手段を収納室の水槽内方への開口部よりも水槽内方に突出させる方法としては、例えば、収納室を水槽の上部に設け、収納室の水槽内方への開口部を下方に向けて形成する場合には、開閉扉の開放時に、湿度検知手段が自重で収納室の水槽内方への開口部よりも水槽内方へ向けて突出するようにしてもよい。
【００１６】
また、別の方法として、湿度検知手段を水槽内方に向けて付勢する伸縮部材が設けられるようにしてもよい。このようにすると、より迅速確実に湿度検知手段を収納室の水槽内方への開口部よりも水槽内方へ向けて突出させることができる。
【００１７】
また、回転槽と収納室の水槽内方への開口部との間に回転槽から収納室の水槽内方への開口部を遮蔽する遮蔽部を設けるのが好ましい。このようにすると、湿度検知手段に繊維等の埃が付着するのを抑制することができる。
【００１８】
また、水槽内に湿度検知手段を配し、回転槽と前記湿度検知手段との間に前記回転槽から前記湿度検知手段を遮蔽する遮蔽部材と、回転槽と湿度検知手段との連通口を開閉する開閉扉と、を備えるようにしてもよい。このようにしても、前述と同様に、湿度検知手段に繊維等の埃が付着するのを抑制することができる。
【００１９】
また、制御部は、乾燥運転の終了を検知する設定湿度を変更可能とした構成とするのが好ましい。
【００２０】
これにより、洗濯物が任意の乾燥状態になったときに乾燥運転を終了することが可能となる。例えば、Ｙシャツ等、乾燥時のシワが気になる場合は、若干湿った状態で乾燥運転を終了することができる。また、タオル等しっかり乾燥させたいときは、十分乾燥が行われた状態で乾燥運転を終了させるなど、乾燥具合を任意に選択することが可能となる。
【発明の効果】
【００２１】
以上のように、本発明によれば、湿度検知手段で水槽内の湿度を直接検知するため、洗濯物の乾燥の進行具合をより高精度に検知することが可能となる。
【発明を実施するための最良の形態】
【００２２】
以下、本発明に係る洗濯乾燥機の実施形態について、添付の図面を参照して詳細に説明する。図１は本実施形態における洗濯乾燥機の斜視図、図２はその概略横断面図、図３は水槽内の概略正面図を、それぞれ示す。
【００２３】
本実施形態における洗濯乾燥機は、水平方向または略傾斜方向に回転中心軸を有する回転槽内で、洗い、すすぎ、脱水を含む洗濯運転や乾燥運転を行う、いわゆるドラム式洗濯乾燥機であり、外箱開口部１１を有する外箱１を備えている。外箱１の前面部の大部分は前パネル１２から成り、外箱１の底部は底台１３から成っている。また、外箱１にはドア２がヒンジで回動自在に取り付けられており、このドア２により外箱開口部１１が開閉される。
【００２４】
また、外箱１の上部には、洗剤、漂白剤及び柔軟剤を収容する洗剤ケース１４と、操作キーや表示部を有する操作部１５とが設けられている。この操作部１５の裏側（外箱１の内部側）には、ドラム式洗濯機の動作を制御する制御部１７（図２参照）が配置されている。また、外箱１の天面の後部には、その天面の前部よりも低い段部１６が設けられている。
【００２５】
外箱１内には、図２に示すように、有底筒形状の水槽３が配置されている。水槽３の内部には衣類等の洗濯物を収容する有底筒形状の回転槽４が回転自在に配置され、水槽３の後部には回転槽４を回転駆動するモータ５が取り付けられている。さらに、外箱１内には、洗濯物を乾燥させるための乾燥手段６と、水槽３の後部を弾性支持する２本のダンパ７が設けられている。
【００２６】
水槽３の前面部には水槽開口部１８が設けられている。この水槽開口部１８の開口縁には、ゴムや軟質樹脂等の弾性体から成るパッキン１９が取り付けられている。パッキン１９は、ドア２を閉じることによりドア２の背面と密着し、水槽３内の液体が水槽３外へ漏れ出るのを防げるようになっている。また、水槽３は、水槽開口部１８が外箱開口部１１に対向するように横向きに配置されている。より詳しくは、水槽３の中心軸は水平方向に対して５〜３０°の角度を成すように傾斜している。水槽３の上部には、水槽３内に洗濯水を給水するための給水ダクト２０が接続されている。
【００２７】
水槽３の下部には、水槽３内の洗濯水を外部に排水するための排水ダクト２１が接続されている。さらに、排水ダクト２１は、フィルタ２２を介して排水ホース２３に接続されている。このフィルタ２２は水槽３内から流れて来た液体中の糸屑を除去する。また、排水ホース２３には、排水モータ２４によって開閉される排水弁２５が設けられている。
【００２８】
回転槽４は、中心軸が水槽３の中心軸に対して外箱１の天面側に偏心するように配置されている。つまり、回転槽４の中心軸は水槽３の中心軸よりも水槽４の上部側に位置している。言い換えれば、回転槽４の回転軸を含む鉛直面内において、回転槽４の下部と水槽３の下部との距離は、回転槽４の上部と水槽３の上部との距離よりも大きくなっている。回転槽４の回転軸は、水平方向に対して５°〜３０°の角度を成すように傾斜している。回転槽４の前面部には、外箱開口部１１及び水槽開口部１８に対向する回転槽開口部２６が設けられている。この回転槽開口部２６は水槽開口部１８よりも大きな径を有している。
【００２９】
回転槽４の周壁全域には複数の小孔２７が設けられている。この小孔２７を介して、水槽３と回転槽４との間の空間と、回転槽４内の空間との間は連通している。また、回転槽４の内壁面には、半径方向内側に向かって突出するバッフル２８を設けている。このバッフル２８は、周方向に例えば１２０°間隔で３ヶ所に配置されている。バッフル２８は回転槽４の回転に伴って、洗濯物の持上げと落下とを繰り返す働きをする。また、回転槽４は、回転槽開口部２６を外側から取り囲む液体バランサ２９を設けており、回転槽４の回転時に、洗濯物等の偏りにより生じるアンバランスを、内部の封入液体の移動によって打消すようにしている。
【００３０】
水槽開口部１８の中心Ｃ１は、回転槽開口部２６の中心Ｃ２よりも外箱１の天面側にある。つまり、水槽開口部１８は、回転槽開口部２６に対して外箱１の天面側に偏心している。乾燥手段６は、図２及び図３に示すように、水槽３の中心軸を含み、かつ、この中心軸と直交する水平軸を含む面よりも下側に設けられている。乾燥手段６は、送風機３１、加熱手段３２、除湿用熱交換器３３及び送風ダクト３９を有している。
【００３１】
送風ダクト３９は、水槽３の内周面と回転槽４の外周面との間に配設され、一端開口が水槽３の後面下部に接続され、他端開口（送風口４０）が水槽開口部１８の下縁と回転槽開口部２６の下縁との間に位置して回転槽開口部２６に臨むように形成されている。
【００３２】
送風機３１は、送風ダクト３９の一端に介装されている。送風機３１は、ファンケース３４と、ファンケース３４内に収容された羽根３５と、羽根３５を回転駆動するファンモータ３６とで構成されている。このファンモータ３６は羽根３５と直結し、ダイレクトドライブ構造によって羽根３５を回転駆動するようになっている。
【００３３】
加熱手段３２は、送風ダクト３９内の送風機３１よりも空気の流れ方向下流側に収容されている。より詳しくは、加熱手段３２は、水槽３の内周面と回転槽４の外周面との間に配置されている。加熱手段３２は、ヒータケース３７と、ヒータケース３７に収容されたシーズヒータ３８とで構成されている。除湿用熱交換器３３は、水槽３の内周面と回転槽４の外周面との間の洗濯液に浸かる領域の加熱手段３２の左右略対称位置に配置されている。より詳しくは、除湿用熱交換器３３は、水槽３の内周面と回転槽４の外周面との間の洗濯液に浸かる領域に配置されている。
【００３４】
図４は、湿度検知手段の第１の設置態様を示す水槽上部の一部拡大断面図である。水槽３の内面上部には、収納室５１が形成されており、この収納室５１内に水槽３内部の湿度を検知するための湿度検知手段５０が収納されている。なお、本発明における湿度検知手段５０としては、湿度を検知できるものであれば特に制限なく使用できるが、一般的にはセラミック湿度センサ、高分子型湿度センサあるいは熱伝導率式湿度センサ等の湿度センサが用いられる。
【００３５】
本実施形態では収納室５１は、水槽３の内面に形成された凹部から構成されている。即ち、収納室５１は、水槽３内周面より回転槽４の半径方向外方に形成され、水槽３の内方に向かって、回転槽４に対向するように開口する開口部５１ａが形成される。
【００３６】
収納室５１の開口部５１ａには、開閉扉５３が開閉可能に設けられる。収納室５１は、開閉扉５３を閉じた状態で、室内への水の浸入を防止する構造とされている。本実施形態では、開閉扉５３は、ヒンジを中心として電磁的に回動するヒンジ式の扉を例示して説明を行う。
【００３７】
上記構成の洗濯乾燥機の動作について説明する。制御部１７は、開閉扉５３で開口部５１ａを閉じて、収納室５１内への洗濯水や洗剤の浸入を防止しながら、洗い、すすぎ及び脱水といった洗濯運転を実行する。そして、乾燥運転が開始されると、制御部１７は、回転槽４を回転させながら、乾燥手段６の送風機３１の羽根３５を回転駆動させるとともに、加熱手段３２のシーズヒータ３８を駆動して空気を加熱させる。そして、開閉扉５３を開放し、湿度検知手段５０による湿度検知を開始する。湿度検知手段５０で検知した信号は、制御部１７に出力される。
【００３８】
送風機３１の羽根３５を回転させると、図２の矢印で示すように、シーズヒータ３８で加熱された空気が送風口４０から回転槽４内の空間の下部に向かって吹き出して回転槽４内の洗濯物の水分を蒸発させる。その水分を含んだ多湿の空気は、小孔２７から回転槽４外部に出て、湿度検知手段５０で湿度が検知されるとともに、水槽３内の空間の下部にある除湿用熱交換器３３で冷却・除湿されて低湿の空気となる。この低湿の空気は、送風機３１によって再び加熱手段３２に送られ、回転槽４内にある洗濯物の乾燥が進行する。乾燥の進行に伴って水槽３内の空気の湿度は低下し、制御部１７に設定された所定の湿度まで低下したことを検知すると、送風機３１、シーズヒータ３８の駆動を停止して、乾燥運転を終了させる。
【００３９】
このようにすることにより、洗濯物の乾燥度と密接に関係する水槽内湿度を直接検知することが可能であり、多くの温度センサを用いて乾燥運転制御を複雑に行う方法よりも、洗濯物の乾燥度や仕上がり具合を容易かつ正確に判断することができる。また、温度センサの場合、送風機の風量変化の影響を多く受けやすいため、例えば乾燥用フィルタ等の目詰まりで送風機の風量が落ちた場合、乾燥終了検知や乾燥度が鈍ることが考えられるが、水槽３内の湿度検知手段５０を用いればそのようなこともなくなる。また除湿後の空気中の湿度を検知をする場合に比べ、乾燥運転の進行に伴う湿度変化の大きい水槽３内の空気の湿度を直接検知できるので、乾燥終了検知等の洗濯物の乾燥の進行具合をより高精度に検知することが可能となる。
【００４０】
制御部１７に設定された乾燥運転を終了させる所定の湿度は、操作部１５の入力により変更可能としてもよい。
【００４１】
即ち、湿度検知手段５０で検知される湿度と、洗濯物の乾燥状態とは相関関係が強く、具体的に、水槽内の湿度が７０〜６０％になった時は回転槽内の洗濯物が若干湿った状態であり、乾燥度でいうと９０％前後で、アイロンがけをして乾燥時のシワを取りやすい状態である。水槽内の湿度が３０〜２０％程度になった時は、回転槽内の洗濯物の乾燥度は１００％近くまで乾いており、しっかり乾燥した状態となる。
【００４２】
したがって、ユーザーが任意の乾燥状態で乾燥運転を行いたい時、例えばＹシャツ等乾燥時のシワが気になる時は若干湿った状態で乾燥を終了させる。タオル等しっかり乾燥させたい時には十分乾燥が行われた状態で終了させるなど、操作部１５において所定の乾燥具合を設定したコースを任意に選ぶことが可能とすることができる。
【００４３】
図６及び図７は、湿度検知手段の第２の設置態様を示す水槽上部の一部拡大断面図であり、図６は洗濯運転時の状態を、図７は乾燥運転時の状態をそれぞれ示す。本態様では、湿度検知手段５０を水槽３内方にある開閉扉５３に向けて付勢する伸縮部材５７が収納室５１の奥面５１ａに固定されている点で第１の設置態様と相違し、以下、第１の設置態様と相違する部分について説明を行う。
【００４４】
開閉扉５３が開放されると、伸縮部材５７が付勢力によって伸長し、湿度検知手段５０は、収納室５１内から収納室５１の水槽内方への開口部５１ａよりも水槽内方へ向けて突出して湿度検知する。
【００４５】
このようにすることにより、湿度検知手段が水槽内の乾燥空気の流れにより確実に晒されるので、より正確な空気の湿度を検知することができる。
【００４６】
なお、乾燥運転が終了したときには、湿度検知手段５０の収納室５１内への収容方法は特に限定はなく、たとえば、収納室５１の奥面５１ｂを進退自在とし、乾燥運転終了時に奥面５１ｂを後退させて湿度検知手段５０を収納室５１内に収容させたり、または、開閉扉５３の開閉時に開閉扉５３の上に乗るように構成し、乾燥運転が終了時に開閉扉５３を閉じて収容させるなど、種々の方式が採用可能である。
【００４７】
図８、図９及び図１０は、湿度検知手段の第３の設置態様を示す水槽上部の一部拡大断面図であり、図８は洗濯時の状態を、図９は乾燥運転時の状態を、図１０は図９のＡ−Ａ断面図をそれぞれ示す。本態様では、回転槽４と収納室５１の水槽３内方への開口部５１ａとの間に回転槽４から収納室５１の水槽３内方への開口部５１ａを遮蔽する遮蔽部を設ける点で第１の設置態様と相違し、以下、第１の設置態様と相違する部分について説明を行う。
【００４８】
遮蔽部５５は、側壁５５ａと、回転槽に対向するように配される遮蔽壁５５ｂとを有し後方で回転槽４と連通している。遮蔽部５５の内部は、ヒンジ式の開閉扉５３が回動可能なスペースが確保されている。側壁５５ａの一部に開口部５５ｃが形成され、この開口部５５ｃから水槽内部の空気が取り込まれ、収納室５１内の湿度検知手段５０によって湿度が検知される。このように、遮蔽部５５を形成しているので、湿度検知手段５０に回転槽４から排出される繊維等の埃等が付着するのを抑制するので、湿度の検知精度の低下を抑えることが可能となる。
【００４９】
本態様においては、遮蔽部５５は側壁５５ａを備えているが、少なくとも遮蔽壁５５ｂを備えていればよく、また、開閉扉５３を開放したときに、開閉扉５３が側壁５５ａを構成するようにしてもよい。
【００５０】
図１１、図１２及び図１３は、湿度検知手段の第４の設置態様を示す水槽上部の一部拡大断面図であり、図１１は洗濯運転時の状態を、図１２は乾燥運転時の状態を、図１３は図１２のＢ−Ｂ断面図をそれぞれ示す。本態様では、湿度検知手段５０を水槽３内方にある開閉扉５３に向けて付勢する伸縮部材５７が収納室５１の奥面５１ａに固定されている点で第３の設置態様と相違し、以下、第３の設置態様と相違する部分について説明を行う。
【００５１】
開閉扉５３が開放されると、伸縮部材５７が付勢力によって伸長し、湿度検知手段５０は、収納室５１内から収納室５１の水槽内方への開口部５１ａよりも水槽内方へ向けて突出して湿度検知する。上記構成により、湿度検知手段５０に埃等が極力付着しないような構成としつつ、より正確な空気の湿度を検知することができる。なお、乾燥運転が終了したときには、第４の設置態様と同様な湿度検知手段５０の収納室５１内への収容方法が採用可能であることはいうまでもない。
【００５２】
図１４、図１５及び図１６は、湿度検知手段及び収納室の第５の態様を示す水槽上部の要部拡大図であり、図１４は洗濯運転時の状態を、図１５は乾燥運転時の状態を、図１６は図１５のＣ−Ｃ断面図をそれぞれ示す。
【００５３】
本態様においては、回転槽４と湿度検知手段５０との間に回転槽４から湿度検知手段５０を遮蔽する遮蔽部材５６と、回転槽４と湿度検知手段５０との連通口５６ｃを開閉する開閉扉５３とを備えた点で第１の設置態様と相違し、以下、第１の設置態様と相違する部分について説明を行う。
【００５４】
遮蔽部材５６は、湿度検知手段５０の側方に位置する側壁５６ａと、回転槽に対向するように配される遮蔽壁５６ｂとを有し、後方に回転槽４と連通する連通口５６ｃが設けられる。連通口５６ｃには、ヒンジ式の開閉扉５３が回動可能に取り付けられている。そして、乾燥運転が行われていない洗濯運転時等のときには、開閉扉５３によって連通口５６ｃが閉じられ、遮蔽部材５６内部への水の浸入を防止するようになっている。乾燥運転が行われているときには、開閉扉５３を回動させて連通口５６ｃを開放する。
【００５５】
このようにすることにより、湿度検知手段５０に回転槽４から排出される繊維等の埃が付着するのを抑制するので、湿度の検知精度の低下を抑えることが可能となる。
【００５６】
なお、本発明は、上記実施形態に限定されるものではなく、本発明の範囲内で上気実施形態に種々の変更を加え得ることはいうまでもない。例えば、上記実施形態において、開閉扉はヒンジ式のものを用いているが、開閉扉５３を水槽３内面に対して直交する水槽３内方に向けてスライド移動可能に設けてもよい。この場合、開閉扉５３を開放するときに、開閉扉５３が水槽３内方にせり出させて、開閉扉５３と遮蔽部５５の機能を付与することができる。なお、図４及び図５に示す湿度検知手段の第１の設置態様において、開閉扉５３を水槽３の内周面に沿ってスライドさせることも可能である。
【００５７】
また、開閉扉だけでなく、収納室自体を水槽３の内面に対して直交する水槽３内方に向けてスライド移動可能に設けてもよい。この場合、洗濯運転時に水槽３壁面を構成する第一の壁面と、乾燥運転時に収納室がスライド移動した後に水槽３壁面を構成する第二の壁面とを有する収納室に湿度検知手段５０を内包させればよい。この場合、第一の壁面に遮断部の機能を付与することができる。
【００５８】
また、湿度検知手段を収納室の水槽内方への開口部よりも水槽内方に突出させる方法として、開閉扉の裏面に湿度検知手段を取り付けてもよい。この場合、開閉扉がヒンジ式の場合は扉の回動によって、前述のごとくスライド移動式の場合には開閉扉の前進によって、湿度検知手段を水槽内の空気の流れに晒すことができる。
【００５９】
また、湿度検知手段５０による湿度検知を、乾燥運転開始から一定時間経過して、ある程度洗濯物の乾燥が進行した段階から湿度検知を開始してもよい。この場合、湿度検知手段への結露を低減することができる。
【００６０】
さらに、収納室５１と送風機３１とを連絡する空気流路を形成し、送風機３１を稼働させてもよい。この場合、収納室５１から送風機３１へ空気を吸い込むので、湿度検知手段５０を収納室５１の外側に突出させていなくても水槽内の空気中の湿度をより正確に検知することができる。
【図面の簡単な説明】
【００６１】
【図１】本発明に係る洗濯乾燥機を示す斜視図
【図２】図１の洗濯乾燥機を示す概略断面図
【図３】図２の洗濯乾燥機の水槽を示す概略正面図
【図４】水槽の一部拡大断面図で、洗濯運転時の状態を示す。
【図５】水槽の一部拡大断面図で、乾燥運転時の状態を示す。
【図６】水槽の第２の態様を示す一部拡大断面図で、洗濯運転時の状態を示す。
【図７】水槽の第２の態様を示す一部拡大断面図で、乾燥運転時の状態を示す。
【図８】水槽の第３の態様を示す一部拡大断面図で、洗濯運転時の状態を示す。
【図９】水槽の第３の態様を示す一部拡大断面図で、乾燥運転時の状態を示す。
【図１０】図９のＡ−Ａ断面図
【図１１】水槽の第４の態様を示す一部拡大断面図で、洗濯運転時の状態を示す。
【図１２】水槽の第４の態様を示す一部拡大断面図で、乾燥運転時の状態を示す。
【図１３】図１２のＢ−Ｂ断面図
【図１４】水槽の第５の態様を示す一部拡大断面図で、洗濯運転時の状態を示す。
【図１５】水槽の第５の態様を示す一部拡大断面図で、乾燥運転時の状態を示す。
【図１６】図１５のＣ−Ｃ断面図
【符号の説明】
【００６２】
１        外箱
３        水槽
４        回転槽
６        乾燥手段
２７        小孔
５０        湿度検知手段
５１        収納室
５１ａ      開口部
５３        開閉扉
５５        遮蔽部
５５ｃ      開口部
５６        遮蔽部材
５６ｃ      連通口
５７        伸縮部材
【図１】
0005048572.tif 000002
【図２】
0005048572.tif 000003
【図３】
0005048572.tif 000004
【図４】
0005048572.tif 000005
【図５】
0005048572.tif 000006
【図６】
0005048572.tif 000007
【図７】
0005048572.tif 000008
【図８】
0005048572.tif 000009
【図９】
0005048572.tif 000010
【図１０】
0005048572.tif 000011
【図１１】
0005048572.tif 000012
【図１２】
0005048572.tif 000013
【図１３】
0005048572.tif 000014
【図１４】
0005048572.tif 000015
【図１５】
0005048572.tif 000016
【図１６】
0005048572.tif 000017